【事件の表示】
　平成　４年特許願第３１７１５５号「留守番電話機」拒絶査定に対する審判事件［平成　６年　６月１０日出願公開、特開平　６−１６４７０６］について、次のとおり審決する。
【結　論】
　本件審判の請求は、成り立たない。
【理　由】
  １．手続の経緯、本願発明
　本願は、平成４年１１月２６日の出願であって、平成１４年２月１２日付け手続補正によって最終的に補正された明細書および図面の記載からみて、その請求項１に係る発明（以下、「本願発明」という。）は、次のとおりのものである。
　【請求項１】
　「発呼者から送られた暗証番号に対応するＤＴＭＦ信号を検出するトーン検出手段と、前記トーン検出手段で検出されたＤＴＭＦ信号に対応する信号を発呼者からの音声信号と共に記憶し、且つ、再生する記憶再生部と、前記記憶再生部の記憶及び再生動作を制御すると共に、前記記憶再生部から再生された前記ＤＴＭＦ信号に対応する暗証番号に応じて発呼者を識別する制御部と、前記制御部にて識別された発呼者を報知する手段と、を具備したことを特徴とする留守番電話機。」　
　
　２．引用例
　（１）原審の拒絶の理由に引用された、特開平２−６５３４９号公報（以下、「引用例１」という。）には、下記ア．〜ウ．が記載されている。
　ア．「第１図において、１は回線、２はこの回線１に接続されたこの発明にかかる留守番電話装置、３は回線１が接続される留守番電話装置２のターミナルであり、留守番電話装置２としてはこの発明に関連する部分のみが図示されている。
　また、４はこの留守番電話装置２内にあってその制御を行なう制御装置、５はこの制御装置４よりアクセスされ、電話番号対応にその電話番号の加入者の氏名情報が登録された電話帳領域、留守番動作中に着信した発呼加入者の電話番号を記録する着信記録部、その発呼加入者からの伝言を格納する伝言格納部からなる留守番領域、およびガイダンス等のメッセージ情報が格納されたメッセージ領域を有するメモリ、６は制御装置４の制御にしたがってメモリ５のメッセージ領域から読み出した情報に基づくガイダンスを回線１に、音声信号にてターミナル３を介して送出するガイダンス送出回路、７はターミナル３に接続され、留守番動作中に回線１より送られてくる着信時のベル信号、発呼加入者の電話番号等の制御信号を受信する信号受信回路、８は再生時に制御装置４が送出する発呼加入者の氏名情報および伝言を音声合成する音声合成回路、９は音声合成されたメッセージを出力するスピーカである。」（２頁左下欄７行〜同右下欄１１行）、　
　イ．「第２図は留守番電話装置の記録時の動作の流れを示すフローチャートである。
　次に、この発明の動作について説明する。−−−ここで、発呼加入者がそのガイダンスにしたがってＤＴＭＦ信号等による制御信号にて当該発呼加入者の電話番号を入力すると、その電話番号は回線１を介して信号受信回路７にて受信され、信号受信回路７は電話番号が受信されたことを制御装置４へ知らせる（ステップＳＴ３）。制御装置４は信号受信回路７にて受信された電話番号に基づいてメモリ５をアクセスし、その電話帳領域に当該電話番号が既に登録されているか否かの判別を行なう（ステップＳＴ４）。
　判定の結果、登録されていれば当該電話番号をメモリ５の留守番領域中の着信記録部に記録する（ステップＳＴ５）。
　次に、この電話番号にひき続いて、伝言のメッセージが送られてきているか否かの識別を行ない（ステップＳＴ６）、伝言が送られてきていればその情報をメモリ５の前記留守番領域の着信記録部に続く伝言格納領域に格納し（ステップＳＴ７）、処理をステップＳＴ１へ戻す。
　ここで、発呼加入者が電話番号を入力しなかった場合、および入力された電話番号が電話帳領域に未登録であった場合には、処理ステップＳＴ３もしくはステップＳＴ４からステップＳＴ６へ直接渡される。また、伝言のメッセージが送られてこなければ、そのまま処理をステップＳＴ１へ戻す。この一連の処理は留守番動作の解除が検出されるまで継続される（ステップＳＴ８）。」（２頁右下欄１２行〜３頁右上欄１３行）、　
　ウ．「留守番動作が解除されて再生の操作が行なわれると、制御装置４はメモリ５をアクセスし、未再生の留守番領域が残っているか否かを判定する（ステップＳＴ１０）。
　その結果、未再生の留守番領域がまだ残っていれば、その１つを読み出し（ステップＳＴ１１）、その着信記録部に電話番号が記録されているか否かの識別を行なう（ステップＳＴ１２）。
　識別の結果、着信記録部に電話番号が記録されていれば、制御装置４はその電話番号に基づいてメモリ５をアクセスし、その電話帳領域より当該電話番号に対応付けられた加入者の氏名情報を読み出し（ステップＳＴ１３）、その氏名情報とメモリ５のメッセージ頒域から読み出した所定のメッセージを音声合成回路８へ送り、それらの音声合成を行なわせる（ステップＳＴ１４）。音声合成回路８はこれにしたがって、例えば「〇〇様より電話がありました。」等のメッセージを音声合成し、スピーカ９へ送って音声出力させる。次いで、制御装置４はステップＳＴ１１において読み出した留守番領域の伝言格納部内に情報が記録されているか否かを識別し（ステップＳＴ１５）、伝言が記録されていればそれを音声合成回路８へ送って音声合成を行なわせる（ステップＳＴ１６）。音声合成回路８はこれにしたがって伝言のメッセージを音声合成し、スピーカ９へ送って音声出力する。
　これらの処理はステップＳＴ１０にて未再生の記録がなくなったことを検出するまで継続される。また、ステップＳＴ１２にて電話番号の記録がないことが識別された場合は、処理はステップＳＴ１６へ渡され、ステップＳＴ１５にて伝言が格納されていないことが識別された場合には、処理は直接ステップＳＴ１０へ戻される。」（３頁欄右上欄１６行〜同右下欄８行）。
　
　前記記載事項、図面並びに技術常識からみて、
　引用例１には、
　「発呼加入者から送られた発呼加入者の電話番号に対応するＤＴＭＦ信号を検出する信号受信回路７と、
　前記信号受信回路で検出されたＤＴＭＦ信号に対応する信号を留守番領域の着信記録部、発呼加入者からの伝言メッセージを留守番領域の伝言格納部に記憶し、且つ　留守番領域の、着信記録部を伝言格納部と共に読み出すメモリ５と、
　メモリ５の電話帳領域に前記信号受信回路で検出されたＤＴＭＦ信号に対応する信号が登録されていた場合、発呼加入者からの伝言メッセージがあると、前記信号受信回路で検出されたＤＴＭＦ信号に対応する信号を留守番領域の着信記録部に記憶すると共に、ひき続いて、発呼加入者からの伝言メッセージを留守番領域の伝言格納部に記憶し、
　発呼加入者が電話番号を入力しなかった場合、及び、メモリ５の電話帳領域に前記信号受信回路で検出されたＤＴＭＦ信号に対応する信号が未登録の場合、伝言メッセージを記録し、
　メモリ５の留守番領域の、着信記録部と伝言格納部を読み出す再生操作が行われると、
メモリ５の未再生の一つ留守番領域の着信記録部をその伝言格納部と共に読み出し、該着信記録部に前記ＤＴＭＦ信号に対応する信号が記録されていると、その信号に基づいて、メモリ５の電話帳領域をアクセスし、その電話帳領域より前記ＤＴＭＦ信号に対応する電話番号に応じた氏名情報を読み出して、出力し、ついで、前記読み出した留守番領域の伝言格納部内に伝言メッセージが記録されていれば、該伝言メッセージを出力し、
　前記読み出した留守番領域の着信記録部に、前記ＤＴＭＦ信号に対応する信号が記録されていなければ、前記読み出した留守番領域の伝言格納部内に記憶されている伝言メッセージを出力する制御装置４と、
　制御装置４から出力された氏名情報及び伝言メッセージを音声出力する音声合成回路８及びスピーカ９を有する留守番電話装置。」
を構成とする発明（以下、「引用例１に記載された発明」という。）が記載されている。
　
　（２）原審の拒絶の理由に引用された、特開平２−４７９６１号公報（以下、「引用例２」という。）には、エ．〜カ．が記載されている。
　
　エ．「重要な呼者に対して予め表示制御信号を知得させ、用件メッセージ送信時に表示制御信号を送出させることにより、複数の用件メッセージを受信した場合、使用者にとって重要な用件メッセージを優先的に再生することができる。」（２頁右上欄４〜９行）、　
　オ．「次に、上記実施例の動作、特に制御手段１の動作を説明する。−−−また、ＩＤ番号を予め知得した呼者は、このＩＤ番号をＤＴＭＦ信号により送出することができる。
　応答メッセージ送出手段４の起動後所定の時間が経過すると、応答メッセージ送出手段４の動作を停止させるとともに用件メッセージ録音手段５を起動し、また、用件メッセージ録音手段５と電話回線を接続するように切替手段６を制御する。
　したがって、呼者から送出される用件メッセージが電話回線、回線閉結手段３、切替手段６を介して用件メッセージ録音手段５に録音される。
　用件メッセージ録音手段５に録音されると、用件メッセージの数を表示手段１０に表示させ、また、用件メッセージ録音手段５の格納位置の先頭位置を格納位置記憶手段１１に格納する。
　この場合、応答メッセージ送出手段４の起動後や、用件メッセージ録音手段５の起動後等に表示制御信号検出手段７がＩＤ番号を検出すると、そのＩＤ番号に対応する名前を表示情報記憶手段９から読み出して表示手段１０に表示させる」（３頁左上欄６行〜同右上欄１８行）、
　カ．「上記動作は、留守番モードにおいて着信する毎に行い、したがって、第３図に示すように、ＩＤコードを送出しなかった呼者からの用件メッセージ（図示第１、第３の着信）は、着信した順番のみが出力され、ＩＤコードを送出した呼者からの用件メッセージ（図示第２、第４の着信）は、着信した順番とＩＤ番号、呼者の名前が表示される。
　従って、この留守番電話装置の使用者は、帰宅後、表示手段１０に表示された呼者の名前等により、第２、第４の用件メッセージの呼者を知得することができ、−−−第２、第４の用件メッセージを優先的に再生することができる」（３頁右上欄１９行〜同左下欄１１行）。
　
　前記記載事項、第１図、第３図並びに技術常識からみて、
　引用例２には、
　「呼者から送られたＩＤ番号を検出すると共に、呼者からの用件メッセージを録音し、前記検出されたＩＤ番号に応じて、呼者の名前を表示する留守番電話装置。」
を構成とする発明（以下、「引用例２に記載された発明」という。）が記載されている。
    
　３．対比・判断
　本願発明と引用例１に記載された発明とを対比すると、
　（ａ）引用例１に記載された発明の「発呼加入者の電話番号」、「電話番号」と、本願発明の「暗証番号」とは、ともに、発呼者を識別するための番号であり、「発呼者識別番号」である点において一致する。
　（ｂ）引用例１に記載された発明の「発呼加入者」、「信号受信回路７」は、各々本願発明の「発呼者」、「トーン検出回路」に相当する。
　（ｃ）引用例１に記載された発明の「メモリ５」は、信号を記憶、再生する部分である点で、本願発明の「記憶再生部」に相当する。
　（ｄ）引用例１において「伝言メッセージ」が、音声を表す信号であることは自明のことであるから、引用例１に記載された発明の「伝言メッセージ」は、本願発明の「音声信号」に相当する。
　（ｅ）引用例１に記載された発明の「制御装置４」は、所定部分を制御する機能を有する部分であるので、本願発明の「制御部」に相当する。また、引用例１に記載された発明の「留守番電話装置」は、本願発明の「留守番電話機」に相当する
　
　（ｆ）前記（ｂ）〜（ｄ）を考慮すると、本願発明の「前記トーン検出手段で検出されたＤＴＭＦ信号に対応する信号を発呼者からの音声信号と共に記憶し、且つ、再生する記憶再生部」と、引用例１に記載された発明の「前記信号受信回路で検出されたＤＴＭＦ信号に対応する信号を留守番領域の着信記録部、発呼加入者からの伝言メッセージを留守番領域の伝言格納部に記憶し、且つ　留守番領域の、着信記録部を伝言格納部と共に読み出すメモリ５」とは、「前記トーン検出手段で検出されたＤＴＭＦ信号に対応する信号、発呼者からの音声信号を記憶し、且つ、再生する記憶再生部」である点において一致する。
　
　（ｇ）前記（ｂ）〜（ｅ）を考慮して、引用例１に記載された発明の制御装置の「メモリ５の電話帳領域に前記信号受信回路で検出されたＤＴＭＦ信号に対応する信号が登録されていた場合、発呼加入者からの伝言メッセージがあると、前記信号受信回路で検出されたＤＴＭＦ信号に対応する信号を留守番領域の着信記録部に記憶すると共に、ひき続いて、発呼加入者からの伝言メッセージを留守番領域の伝言格納部に記憶し、
　発呼加入者が電話番号を入力しなかった場合、及び、メモリ５の電話帳領域に前記信号受信回路で検出されたＤＴＭＦ信号に対応する信号が未登録の場合、伝言メッセージを記録し、
　メモリ５の留守番領域の、着信記録部と伝言格納部を読み出す再生操作が行われると、
メモリ５の未再生の一つ留守番領域の着信記録部をその伝言格納部と共に読み出し」の機能は、制御部（制御装置）の、記憶再生部（メモリ）の記憶及び再生の制御機能を意味しているから、本願発明の制御部の「前記記憶再生部の記憶及び再生を制御する」機能といえる。
　
　（ｈ）前記（ａ）、（ｃ）、（ｅ）を考慮して、本願発明の制御部の「前記記憶再生部から再生された前記ＤＴＭＦ信号に対応する暗証番号に応じて発呼者を識別する」機能と、引用例１に記載された発明の制御装置の「該着信記録部に前記ＤＴＭＦ信号に対応する信号が記録されていると、その信号に基づいて、メモリ５の電話帳領域をアクセスし、その電話帳領域より前記ＤＴＭＦ信号に対応する電話番号に応じた氏名情報を読み出して、出力し」の機能とは、引用例１に記載された発明の「その信号に基づいて、メモリ５の電話帳領域をアクセスし、その電話帳領域より前記ＤＴＭＦ信号に対応する電話番号に応じた氏名情報を読み出し」が、前記記憶再生部（メモリ５）から再生された前記ＤＴＭＦ信号に対応する発呼者識別番号（電話番号）に応じて発呼者の氏名を出力し発呼者を識別することを意味しているから、制御部の「前記記憶再生部から再生された前記ＤＴＭＦ信号に対応する発呼者識別番号に応じて発呼者を識別する」機能といえる。
　
　（ｉ）引用例１に記載された発明の「制御装置から出力された氏名情報及び伝言を音声出力する音声合成回路８及びスピーカ９」は、制御部（制御装置）で識別された発呼者を報知するものであるから、本願発明の「前記制御部にて識別された発呼者を報知する手段」である。
　　
　そうしてみると、本願発明と引用例１に記載された発明とは、
　
　「発呼者から送られた発呼者識別番号に対応するＤＴＭＦ信号を検出するトーン検出手段と、前記トーン検出手段で検出されたＤＴＭＦ信号に対応する信号、発呼者からの音声信号を記憶し、且つ、再生する記憶再生部と、前記記憶再生部の記憶及び再生動作を制御すると共に、前記記憶再生部から再生された前記ＤＴＭＦ信号に対応する発呼者識別番号に応じて発呼者を識別する制御部と、前記制御部にて識別された発呼者を報知する手段と、を具備する留守番電話機。」、
である点において、一致し、
　
　（１）「発呼者識別番号」が、本願発明では、「暗証番号」であるの対し、引用例１に記載された発明では、「発呼加入者の電話番号」或いは「電話番号」である点、　
  
　（２）「前記トーン検出手段で検出されたＤＴＭＦ信号に対応する信号、発呼者からの音声信号を記憶し、且つ、再生する記憶再生部」が、本願発明では、「前記トーン検出手段で検出されたＤＴＭＦ信号に対応する信号を発呼者からの音声信号と共に記憶し、且つ、再生する記憶再生部」であるのに対し、引用例１に記載された発明においては、このようなものでない点、
で相違する。
　そこで、前記相違点（１）、（２）について、以下、検討する。
　　　　　　　　　　　　　　　　　　　
　相違点（１）について、
　引用例２に記載された発明の「呼者」、「留守番電話装置」が、各々本願発明の「発呼者」、「留守番電話機」に相当し、引用例２に記載された発明の「用件メッセージ」が「音声信号」であることは自明のことであるので、引用例２に記載された発明には、発呼者から送られたＩＤ番号を検出すると共に、発呼者からの音声信号を記憶し、前記検出されたＩＤ番号に応じて、発呼者の名前を表示する留守番電話機、が記載され、該ＩＤ番号に関し、引用例２には、「重要な呼者に対しては予め表示制御信号を知得させ、用件メッセージ送出時に表示制御信号を送出させることにより」（２頁右上欄４〜６行）、「ＩＤ信号を予め知得したものは、このＩＤ番号をＤＴＭＦ信号により送信することができる。」（３頁左上欄１９行〜同右上欄１行）と記載され、留守番電話装置の使用者から、重要な発呼者に予めＩＤ番号を知らせておくことが記載されており、該ＩＤ番号は、留守番電話装置の使用者と発呼者の間でのみ知っていればよいことは当然のことであり、該ＩＤ番号を暗証番号とすることは当業者の設計的事項である。
　また、留守番電話機において、発呼者から送られた暗証番号と発呼者からの音声信号を記憶し、暗証番号の表示により、記憶された音声信号を選択することは本願出願前より周知である（必要ならば、例えば、特開平３−３６８６０号公報、特に、３頁左下欄〜４頁左上欄の記載　特開平３−５３７３９号公報参照）。
　よって、引用例１に記載された発明において、「発呼者識別番号」を、「暗証番号」とすることは当業者が容易に成し得たことである。　
　
　相違点（２）について、
　引用例１に記載された発明においては、留守番電話機（留守番電話装置）の記憶時に、制御部（制御装置）が、記憶再生部（メモリ５）の電話帳領域にトーン検出手段（信号受信回路）で検出されたＤＴＭＦ信号に対応する信号が登録されているか否かの処理を行っているのであるが、係る処理を、留守番電話機の記憶時に行うか、再生時に行うかは当業者が適宜成し得る設計的事項と認められ、引用例１に記載された発明において、前記処理を再生時に行った場合の、記憶時の制御部の機能について、前記ＤＴＭＦ信号に対応する信号が前記トーン検出手段で検出され、発呼者（発呼加入者）からの音声信号（伝言メッセージ）があると、前記トーン検出手段で検出されたＤＴＭＦ信号に対応する信号を、発呼者からの音声信号と共に記憶する、制御を行うことは当業者が適宜容易に成し得ることである。そして、その際、引用例１に記載された発明の制御部の再生時の制御において、前記変更を考慮して制御を行うことは当業者が適宜行う事項である。
　また、留守番電話装置において、発信者番号と音声メッセージを共に記憶し、再生時に該発信者番号に対応する氏名情報を報知するものは周知であり、（必要があれば、例えば、特開平３−２２４３４０号公報、特に、３頁右下欄〜４頁右上欄、参照）、該周知技術の「音声メッセージ」は、本願発明の「音声信号」に相当し、該周知技術の「発信者番号」は、「発呼者識別信号」といえ、引用例１に記載された発明の「ＤＴＭＦ信号に対応する信号」が、「発呼者の電話番号」であり、「発呼者識別信号」であることは自明のことであるから、引用例１に記載された発明において、記憶時の制御部（制御装置）の機能について、ＤＴＭＦ信号に対応する信号が前記トーン検出手段（信号受信回路）で検出され、発呼者（発呼加入者）からの音声信号（伝言メッセージ）があると、前記トーン検出手段で検出されたＤＴＭＦ信号に対応する信号を、発呼者からの音声信号と共に記憶する制御を行うことは当業者が適宜容易に成し得ることである。そして、その際、引用例１に記載された発明の制御部の再生時の制御において、記憶時の制御を考慮した制御を行うことは当業者が適宜行う事項である。
　よって、引用例１に記載された発明には、制御部が、「メモリ５の未再生の一つ留守番領域の着信記録部をその伝言格納部と共に読み出し」することが記載されているのであるから、引用例１に記載された発明において、記憶再生部について、「前記トーン検出手段で検出されたＤＴＭＦ信号に対応する信号を、発呼者からの音声信号と共に記憶し、且つ、再生する記憶再生部」とすることは当業者が容易に成し得たことである。
　
　そして、本願発明の効果は、引用例１に記載された発明、引用例２に記載された発明、周知技術から当業者が予想し得る程度のものである。
　
　４、むすび
　以上のとおりであるから、本願発明は、前記引用例１に記載された発明及び引用例２に記載された発明、前記周知技術に基いて当業者が容易に発明をすることができたものであるから、特許法第２９条第２項の規定により、特許を受けることができないものである。
　よって、結論のとおり審決する。